【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】  （Ａ）実験式：Ｒ1 a Ｒ2 b Ｒ3 c ＳｉＯ(4-a-b-c)/2 ［式中、０．８≦（ａ＋ｂ＋ｃ）≦３．０であり、かつ、成分（Ａ）がＲ1 基を１分子当たり平均して少なくとも２個有することを条件として、ａは０又は正の数、ｂは０又は正の数、ｃは０又は正の数であり、各Ｒ1 は水素原子及び脂肪族不飽和を有する１価炭化水素基から独立に選ばれる官能基であり、各Ｒ2 は非官能性基及びＲ1 から選ばれる１価炭化水素基であり、各Ｒ3 は非官能性基及びＲ1 から選ばれる１価炭化水素基である］により表される単位を含むシルセスキオキサンコポリマー；
（Ｂ）一般式：
【化１】
2001026717.tif 000001
［式中、成分（Ａ）中のＲ1 が水素原子である場合に成分（Ｂ）中のＲ1 は不飽和一価炭化水素基であり、かつ、成分（Ａ）中のＲ1 が不飽和一価炭化水素基である場合に成分（Ｂ）中のＲ1 が水素原子であることを条件としてＲ1 及びＲ2 は成分（Ａ）に関する上記の通りであり、Ｒ4 は二価炭化水素基である］
により表されるシリル末端炭化水素；並びに
（Ｃ）ヒドロシリル化反応触媒；
を含むヒドロシリル化反応硬化性組成物。
【請求項２】  （Ｄ）ヒドロシリル化反応触媒抑制剤；
（Ｅ）実験式：
【化２】
2001026717.tif 000002
［式中、各Ｒ1 は上記の通りであり、成分（Ｅ）中の各Ｒ5 基はＲ2 に対する非官能性基から独立に選ばれ、ｐは１、２又は３であり、ｑは１又は２であり、ｚは６以上の整数であり、ｙは０又は１０以下の整数である］
により表される第１のシリコーンゴム；
（Ｆ）０〜１５質量％の、実験式：
【化３】
2001026717.tif 000003
［式中、各Ｒ5 は上記の通りであり、１分子当たり少なくとも２個のＲ6 基がＲ1 でなくてはならないことを条件として各Ｒ6 はＲ1 及びＲ5 から選ばれ、ｍは１５０〜１，０００であり、ｎは１〜１０である］
により表される第２のシリコーンゴム；並びに
（Ｇ）溶剤；
からなる群から選ばれる１つ以上の成分をさらに含む請求項１記載の組成物。
【請求項３】  成分（Ａ）及び（Ｂ）が、成分（Ａ）及び（Ｂ）中のケイ素結合水素原子（ＳｉＨ）及び不飽和炭化水素基（Ｃ＝Ｃ）が１．０：１．０〜１．５：１．０の範囲のＳｉＨ：Ｃ＝Ｃモル比で硬化性組成物中に存在するような量で、硬化性組成物に加えられている請求項１又は２記載の硬化性組成物。
【請求項４】  ＳｉＨ：Ｃ＝Ｃモル比が１．１：１．０〜１．５：１．０の範囲である請求項３記載の硬化性組成物。
【請求項５】  成分（Ｂ）が、下記式により表される化合物：
【化４】
2001026717.tif 000004
［式中、Ｒ1 は上記定義の通りであり、ｘは１〜６の整数である］
から選ばれる請求項１〜３のいずれか１項に記載の硬化性組成物。
【請求項６】  成分（Ｂ）がｐ−ビス（ジメチルシリル）ベンゼンである請求項５記載の硬化性組成物。
【請求項７】  成分（Ｃ）が白金触媒である請求項１〜６のいずれか１項に記載の硬化性組成物。
【請求項８】  成分（Ｃ）が硬化性組成物の質量を基準にして１〜１０ｐｐｍの白金金属を提供するのに十分な量で硬化性組成物に添加されている請求項７記載の硬化性組成物。
【請求項９】  成分（Ｄ）が０．０００１〜０．０５質量％の量で硬化性組成物に添加されている請求項１〜８のいずれか１項に記載の硬化性組成物。
【請求項１０】  成分（Ｅ）が５〜２０質量％の量で硬化性組成物に添加されている請求項１〜８のいずれか１項に記載の硬化性組成物。
【請求項１１】  成分（Ｆ）が２〜８質量％の量で硬化性組成物に添加されている請求項１〜８のいずれか１項に記載の硬化性組成物。
【請求項１２】  （Ａ）実験式：Ｒ1 a Ｒ2 b Ｒ3 c ＳｉＯ(4-a-b-c)/2 ［式中、０．８≦（ａ＋ｂ＋ｃ）≦３．０であり、かつ、成分（Ａ）がＲ1 基を１分子当たり平均して少なくとも２個有することを条件として、ａは０又は正の数、ｂは０又は正の数、ｃは０又は正の数であり、各Ｒ1 は水素原子及び脂肪族不飽和を有する１価炭化水素基から独立に選ばれる官能基であり、各Ｒ2 は非官能性基及びＲ1 から選ばれる１価炭化水素基であり、各Ｒ3 は非官能性基及びＲ1 から選ばれる１価炭化水素基である］により表される単位を含むシルセスキオキサンコポリマー；
（Ｂ）一般式：
【化５】
2001026717.tif 000005
［式中、成分（Ａ）中のＲ1 が水素原子である場合に成分（Ｂ）中のＲ1 は不飽和一価炭化水素基であり、かつ、成分（Ａ）中のＲ1 が不飽和一価炭化水素基である場合に成分（Ｂ）中のＲ1 が水素原子であることを条件としてＲ1 及びＲ2 は成分（Ａ）に関する上記の通りであり、Ｒ4 は二価炭化水素基である］
により表されるシリル末端炭化水素；並びに
（Ｃ）ヒドロシリル化反応触媒；
を混合することを含むヒドロシリル化反応硬化性組成物の調製方法。
【請求項１３】  ヒドロシリル化反応硬化性組成物が、
（Ｄ）ヒドロシリル化反応触媒抑制剤；
（Ｅ）実験式：
【化６】
2001026717.tif 000006
［式中、各Ｒ1 は上記の通りであり、成分（Ｅ）中の各Ｒ5 基はＲ2 用の非官能性基から独立に選ばれ、ｐは１、２又は３であり、ｑは１又は２であり、ｚは６以上の整数であり、ｙは０又は１０以下の整数である］
により表される第１のシリコーンゴム；
（Ｆ）実験式：Ｒ5 2 Ｒ6 ＳｉＯ（Ｒ5 2 ＳｉＯ）m （Ｒ5 Ｒ6 ＳｉＯ）n ＳｉＲ6 Ｒ5 2 ［式中、各Ｒ5 は上記の通りであり、１分子当たり少なくとも２個のＲ6 基がＲ1 でなくてはならないことを条件として各Ｒ6 はＲ1 及びＲ5 から選ばれ、ｍは１５０〜１，０００であり、ｎは１〜１０である］により表される第２のシリコーンゴム；並びに
（Ｇ）溶剤；
からなる群から選ばれる１つ以上の任意成分をさらに含む請求項１２記載の方法。
【請求項１４】  （Ａ）実験式：Ｒ1 a Ｒ2 b Ｒ3 c ＳｉＯ(4-a-b-c)/2 ［式中、０．８≦（ａ＋ｂ＋ｃ）≦３．０であり、かつ、成分（Ａ）がＲ1 基を１分子当たり平均して少なくとも２個有することを条件として、ａは０又は正の数、ｂは０又は正の数、ｃは０又は正の数であり、各Ｒ1 は水素原子及び脂肪族不飽和を有する１価炭化水素基から独立に選ばれる官能基であり、各Ｒ2 は非官能性基及びＲ1 から選ばれる１価炭化水素基であり、各Ｒ3 は非官能性基及びＲ1 から選ばれる１価炭化水素基である］により表される単位を含むシルセスキオキサンコポリマー；
（Ｂ）一般式：
【化７】
2001026717.tif 000007
［式中、成分（Ａ）中のＲ1 が水素原子である場合に成分（Ｂ）中のＲ1 は不飽和一価炭化水素基であり、かつ、成分（Ａ）中のＲ1 が不飽和一価炭化水素基である場合に成分（Ｂ）中のＲ1 が水素原子であることを条件としてＲ1 及びＲ2 は成分（Ａ）に関する上記の通りであり、Ｒ4 は二価炭化水素基である］
により表されるシリル末端炭化水素；及び
（Ｃ）ヒドロシリル化反応触媒；並びに
任意選択的に下記（Ｄ）〜（Ｇ）から成る群から選ばれる１つ以上の成分：
（Ｄ）ヒドロシリル化反応触媒抑制剤；
（Ｅ）実験式：
【化８】
2001026717.tif 000008
［式中、各Ｒ1 は上記の通りであり、成分（Ｅ）中の各Ｒ5 基はＲ2 用の非官能性基から独立に選ばれ、ｐは１、２又は３であり、ｑは１又は２であり、ｚは６以上の整数であり、ｙは０又は１０以下の整数である］
により表される第１のシリコーンゴム；
（Ｆ）実験式：Ｒ5 2 Ｒ6 ＳｉＯ（Ｒ5 2 ＳｉＯ）m （Ｒ5 Ｒ6 ＳｉＯ）n ＳｉＲ6 Ｒ5 2 ［式中、各Ｒ5 は上記の通りであり、１分子当たり少なくとも２個のＲ6 基がＲ1 でなくてはならないことを条件として各Ｒ6 はＲ1 及びＲ5 から選ばれ、ｍは１５０〜１，０００であり、ｎは１〜１０である］により表される第２のシリコーンゴム；及び
（Ｇ）溶剤；
を混合する工程；並びに
（ＩＩ）硬化に十分な温度及び時間で工程（Ｉ）の生成物を加熱することにより硬化したシルセスキオキサン樹脂を形成する工程；
を含む、硬化したシルセスキオキサン樹脂の調製方法。
【請求項１５】  工程（Ｉ）の生成物を工程（ＩＩ）の前に脱気する工程をさらに含む請求項１４記載の方法。
【請求項１６】  ヒドロシリル化反応硬化性組成物が１液型ヒドロシリル化反応硬化性組成物であり、成分（Ｃ）及び（Ｄ）を予備混合することにより錯体を形成し、その後にその錯体を工程（Ｉ）の組成物に混合する請求項１５記載の方法。
【請求項１７】  工程（Ｉ）の組成物が成分（Ｇ）を含み、工程（Ｉ）の組成物に前記錯体が混合される前に前記組成物から成分（Ｇ）が除去される請求項１６記載の方法。
【請求項１８】  ヒドロシリル化反応硬化性組成物が２液型ヒドロシリル化反応硬化性組成物であり、この２液型組成物が、（１）成分（Ａ）を含む第１液を調製すること及び（２）成分（Ｂ）を含む第２液を調製することを含んで成り、成分（Ｃ）が工程（Ｉ）に先立って前記第１液及び第２液から選ばれる液と混合される請求項１５記載の方法。
【請求項１９】  前記第１液が、成分（Ａ）、（Ｅ）、（Ｆ）及び（Ｇ）を混合することにより調製され、成分（Ｃ）が前記第１液と成分（Ｂ）を含む前記第２液とからなる群から選ばれる液と混合される請求項１８記載の方法。
【請求項２０】  請求項１４〜１９のいずれか１項に記載の方法により得られる硬化したシルセスキオキサン樹脂。